(57)【要約】【課題】天板の不使用縁側に沿って配線収容空間が形成された天板付き什器において左右方向任意の位置に配設可能な仕切りパネルを提供すること。【解決手段】天板付き什器の配線収容空間部１０６の上方に取り付けられる仕切りパネル１０であって、平板状のパネル本体と、パネル本体の下部近傍より前下方に向かって延設された前向き片２６と、前向き片２６の下端に延設された支持部２８と、を有する取付部材１２と、を備え、パネル本体の下端と取付部材１２の前向き片と、閉塞カバー１１２の上面とによって囲まれた空間部３０を介して、閉塞カバー１１２を着脱可能として、配線収容空間部１０６の閉塞カバー１１２の上方位置の左右方向任意の位置に取り付けられる。【選択図】図４
2015085025.tif 000002
【特許請求の範囲】
【請求項１】
天板の左右方向を向く配線収容空間部と、前記配線収容空間部の上部を覆う開閉自在な閉塞カバーとを有する天板付き什器の前記配線収容空間部の上方に取り付け可能な仕切りパネルであって、
板状のパネル本体と、
前記パネル本体の下部近傍より前記天板における前方且つ前記天板における下方へ向かって延設された前向き片と、前記前向き片の下端に延設された前側支持部と、を有して前記閉塞カバーが開閉動作するための可動域の外部且つ前記閉塞カバーの上部に前記パネル本体を前記配線収容空間部上方における左右方向任意の位置で支持する取付部材と、
を備え、
前記パネル本体の下端と前記取付部材の前記前向き片と、前記閉塞カバーの上面とによって囲まれた空間部において、前記閉塞カバーが開閉若しくは着脱可能であることを特徴とする仕切りパネル。
【請求項２】
前記天板付き什器は、前記天板における前後方向に離間して一対の前記天板を配設することによって前記一対の天板間に前記配線収容空間部が形成されており、
前記配線収容空間部の上方位置にパネル本体が配設されることを特徴とする請求項１に記載の仕切りパネル。
【請求項３】
前記取付部材は、前記パネル本体の下部近傍より前記天板における後方且つ前記天板における下方へ向かって延設された後向き片と、前記後向き片の下端に延設された後側支持部と、を有し、天板付き什器における前記配線収容空間部の前記閉塞カバーの上方位置において、前記後向き片の前記後側支持部を介して前記配線収容空間部の前記閉塞カバーの上方位置に取り付けられることを特徴とする請求項１または２に記載の仕切りパネル。
【請求項４】
前記支持部は、前後の前記天板の前記不使用端縁上に上方より前記天板に係止可能な係止部を有し、
前記係止部は、
前記天板と前記閉塞カバーとの間に挿入可能な挿入部と、
前記天板の上面に当接可能な当接面と、
を有する
ことを特徴とする請求項１から３のいずれか一項に記載の仕切りパネル。
【請求項５】
前記閉塞カバーは、前記不使用端縁側に設けられた左右方向を向く枢軸を中心に上方に回動可能として前記天板付き什器に設けられており、前記閉塞カバーの回動軌跡が、前記空間部内にあることを特徴とする請求項１から４のいずれか一項に記載の仕切りパネル。
【発明の詳細な説明】
【技術分野】
【０００１】
本発明は、仕切りパネルに関する。
【背景技術】
【０００２】
オフィスや公共施設等の執務空間においては、執務者に作業面を提供するためにテーブルやデスク等の天板付き什器を配設するのが一般的である。また、近年の執務は、電子機器を使用して行われるケースが多い。そのため、執務空間に設置される天板付き什器は、電子機器の配線を収容する配線収容空間が設けられるのが一般的となっている。このような天板付き什器としては、天板の不使用端縁側に沿って配線収容空間を形成し、配線収容空間の上部をカバーによって開閉自在に閉塞するようにしたものが多い。このような天板付き什器によれば、天板上で使用される電子機器や照明装置やコンセントタップ等の配線を配線収容空間内に格納することができるために、天板上を体裁良く収めると共に、執務者が効率的に執務を行うことができる。
【０００３】
また、天板付き什器の配置レイアウトとしては、一対の天板を前後に対向して配設すると共に、什器を左右に複数隣接して配設することによって、いわゆる「島」を形成する場合がある。このようにすることによって、執務空間を効率的に利用することができると共に、組織形態に合わせて執務者を配置することができ、グループ内コミュニケーションの円滑化を図ることができる。ただし、このような配置レイアウトにすると、対面する執務者が執務者の視界に入ることになるため、執務者は、集中して執務しにくい環境になってしまう。こうした問題を鑑み、天板付き什器の天板上に仕切りパネルを立設することによって複数の空間に区画し、執務者同士の視線が交錯するのを防止したものが提案されている。こうした仕切りパネルは、空間の公平性を保つためそれぞれの執務空間の中間部に立設させるのが好ましい。しかし、前記の天板付き什器のように天板の不使用端縁に沿って配線収容空間を形成している場合には、仕切りパネルを中央に配設することができない場合がある。
【０００４】
そこで、仕切りパネルの下端部とカバーの上面との間にカバーの開閉用空間を形成したものが提案されている（例えば、特許文献１、特許文献２参照）。
特許文献１、特許文献２によれば、天板の不使用端縁に沿って配線収容空間を形成している天板付き什器において、仕切りパネルを中央に配設することができる。
【先行技術文献】
【特許文献】
【０００５】
【特許文献１】特許第５０６３９８７号公報
【特許文献２】特開２０１１−１４７６６０号公報
【発明の概要】
【発明が解決しようとする課題】
【０００６】
しかしながら、特許文献１及び特許文献２に開示された先行技術では、仕切りパネルを天板付き什器に取り付けるための取付部を設ける必要があるため、仕切りパネルを取り付けられる位置が限られてしまう。このため、特許文献１及び特許文献２に開示された先行技術では、天板における左右方向の任意の位置に仕切りパネルを配設することができない。
本発明の目的は、天板の不使用縁側に沿って配線収容空間が形成された天板付き什器において、配線収容空間のカバーの開閉を邪魔することなく、且つ左右方向任意の位置に配設可能な仕切りパネルを提供することである。
【課題を解決するための手段】
【０００７】
本発明の一態様は、天板の左右方向を向く配線収容空間部と、前記配線収容空間部の上部を覆う開閉自在な閉塞カバーとを有する天板付き什器の前記配線収容空間部の上方に取り付け可能な仕切りパネルであって、板状のパネル本体と、前記パネル本体の下部近傍より前記天板における前方且つ前記天板における下方へ向かって延設された前向き片と、前記前向き片の下端に延設された前側支持部と、を有して前記閉塞カバーが開閉動作するための可動域の外部且つ前記閉塞カバーの上部に前記パネル本体を前記配線収容空間部上方における左右方向任意の位置で支持する取付部材と、を備え、前記パネル本体の下端と前記取付部材の前記前向き片と、前記閉塞カバーの上面とによって囲まれた空間部において、前記閉塞カバーが開閉若しくは着脱可能であることを特徴とする仕切りパネルである。
【０００８】
前記天板付き什器は、前記天板における前後方向に離間して一対の前記天板を配設することによって前記一対の天板間に前記配線収容空間部が形成されており、前記配線収容空間部の上方位置にパネル本体が配設されていてもよい。
【０００９】
前記取付部材は、前記パネル本体の下部近傍より前記天板における後方且つ前記天板における下方へ向かって延設された後向き片と、前記後向き片の下端に延設された後側支持部と、を有し、天板付き什器における前記配線収容空間部の前記閉塞カバーの上方位置において、前記後向き片の前記後側支持部を介して前記配線収容空間部の前記閉塞カバーの上方位置に取り付けられていてもよい。
【００１０】
前記支持部は、前後の前記天板の前記不使用端縁上に上方より前記天板に係止可能な係止部を有していてもよく、前記係止部は、前記天板と前記閉塞カバーとの間に挿入可能な挿入部と、前記天板の上面に当接可能な当接面と、を有していてもよい。
【００１１】
前記閉塞カバーは、前記不使用端縁側に設けられた左右方向を向く枢軸を中心に上方に回動可能として前記天板付き什器に設けられていてもよく、前記閉塞カバーの回動軌跡が、前記空間部内にあってもよい。
【発明の効果】
【００１２】
本発明によれば、天板の不使用縁側に沿って配線収容空間部が形成された天板付き什器において配線収容空間のカバーの開閉を邪魔することなく、且つ左右方向任意の位置に配設可能な仕切りパネルを提供することができる。
【図面の簡単な説明】
【００１３】
【図１】本発明の仕切りパネルの一例を天板付き什器に取り付けた状態の配置レイアウトの斜視図である。
【図２】同仕切りパネルの構成を示す分解斜視図である。
【図３】同仕切りパネルの天板付き什器に取り付けた状態の外観斜視図である。
【図４】同仕切りパネルの一部破断正面図である。
【図５】本発明の仕切りパネルの他例の一部破断正面図である。
【図６】本発明の仕切りパネルのさらに他例の一部破断正面図である。
【発明を実施するための形態】
【００１４】
本発明の一実施形態の仕切りパネルについて説明する。
以下、本発明に係る仕切りパネルの一実施形態を、図１から図５を参照しながら説明する。ただし、本発明は、以下に説明する実施形態に限定されるものではない。また、図面においては、実施形態を説明するため、模式的に記載するとともに、一部分を大きくまたは強調して記載するなど適宜縮尺を変更して表現している。また、実施形態において方向を示す場合は、以下の各図において、ＸＹＺ座標系を用いて図中の方向を説明する。このＸＹＺ座標系は、天板付き什器１００に有する天板１０１の表面に平行な平面をＸＺ平面とする。このＸＺ平面において天板１０１の幅方向（左右方向）をＸ方向と表記し、Ｘ方向に直交する天板１０１の長さ方向（前後方向）をＺ方向と表記する。ＸＺ平面に垂直な方向（上下方向）はＹ方向と表記する。Ｘ方向、Ｙ方向、及びＺ方向のそれぞれは、図中の矢印が向く方向が＋方向であり、矢印が向く方向とは反対の方向が−方向であるものとして説明する。図１は、仕切りパネル１０を天板付き什器１００に取り付けた状態の配置レイアウトの一例の斜視図である。
【００１５】
図１に示すように、本実施形態における天板付き什器１００の配置レイアウトでは、２つの天板付き什器１００と、４つの仕切りパネル１０、とにより島Ａが形成されている。
天板付き什器１００は、一対の天板１０１と、一対の横材１０２と、一対の横材１０３と、４本の支柱１０４と、を備える。一対の横材１０２と、一対の横材１０３と、４本の支柱１０４と、は骨格Ｂを形成する。
【００１６】
一対の天板１０１は、骨格Ｂ上においてＺ方向の前後に離間して配設されている。一対の横材１０２は、天板１０１の下面にＸ方向に配設されている。一対の横材１０３は、天板１０１の下面にＺ方向に配設されている。４本の支柱１０４は、天板１０１の下面の四隅に配設されている。一対の天板１０１は、Ｚ方向の中央部に形成されている不使用端縁１０５側に沿ってＸ方向の左右方向に向く配線収容空間部１０６を有する。天板１０１の下方には、例えば、サイドワゴン１０７が配設され、天板１０１の上面には、例えば、ノート型パソコン１０８や蛍光灯スタンド１０９等が必要に応じて設置可能である。ノート型パソコン１０８や蛍光灯スタンド１０９等の電源コードや接続ケーブル等の配線１１０は、配線収容空間部１０６を通って、配線収容空間部１０６の下方の不図示の配線ダクトから引出される。そして、前後に対向する一対の天板１０１の間には、各天板１０１に対応させて配置された椅子１１１の着座者の前方視野を遮るための仕切りパネル１０が立設されている。
【００１７】
図２は、仕切りパネル１０の構成を示す分解斜視図である。図２に示すように、仕切りパネル１０は、パネル本体１１と、一対の取付部材１２と、を備える。パネル本体１１は、パネル基材１３と、クッション材１４と、表皮材１５と、を備える。仕切りパネル１０は、設置される天板付き什器１００の形状等に沿って、平面板状、あるいは、平面視または側面視したときに、中間部で折曲または湾曲した略Ｌ字状、あるいは全体が湾曲した平面視略Ｃ字状等とすることができる。以下においては、仕切りパネル１０は、平板形状である場合について説明する。
【００１８】
パネル基材１３は、芯材１６と、一対の縦フレーム１７、１８及び一対の横フレーム１９、２０と、ベースシート２１と、を備える。
【００１９】
芯材１６は、パネル状であって、例えば、紙系材料を素材として形成されている。この芯材１６は、軽量であることが好ましい。なお、芯材１６は、上記の素材に代えて、木質系材料を用いた木製板やプラスチック等の高分子材料を用いた樹脂製板部材でもよい。
【００２０】
縦フレーム１７は、金属系材料や樹脂系材料等を素材として−Ｘ方向を開口させた水平断面視コ字形状に形成されており、内方の上下に一対のＬ字形状に形成されたブラケット２２を有する。縦フレーム１８は、縦フレーム１７と同様に、金属系材料や樹脂系材料等を素材としてＸ方向を開口させた水平断面視コ字形状に形成されており、内方の上下に一対のＬ字形状に形成されたブラケット２３を有する。横フレーム１９は、金属系材料や樹脂系材料等を素材としてＹ方向を開口させた垂直断面視コ字形状に形成されている。横フレーム２０は、横フレーム１９と同様に、金属系材料や樹脂系材料等を素材として−Ｙ方向を開口させた垂直断面視コ字形状に形成されている。
【００２１】
縦フレーム１７は、ブラケット２２の開口部分が芯材１６の−Ｘ方向の角部分の端縁に嵌め付けられることにより芯材１６に仮固定される。縦フレーム１８は、ブラケット２３の開口部分が芯材１６のＸ方向の角部分の端縁に嵌め付けられることにより芯材１６に仮固定される。横フレーム１９の開口部分は、芯材１６のＹ方向の端縁に仮固定される。横フレーム２０の開口部分は、芯材１６の−Ｙ方向の端縁に仮固定される。各フレーム１７、１８、１９、２０は、芯材１６に仮固定された後に、各ブラケット２２、２３に横フレーム１９、２０が不図示のネジ止めや溶接、接着等の接合手段によって固定される。これにより、各フレーム１７、１８、１９、２０は、芯材１６の外周を覆って芯材１６に固定される。
【００２２】
ベースシート２１は、例えば、ボール紙等により四角形の板形状に形成されている。このベースシート２１は、芯材１６よりも外形寸法が大きく、その外周部分が各フレーム１７、１８、１９、２０の表面に接着剤等により接着される。ベースシート２１は、芯材１６及び各フレーム１７、１８、１９、２０の両面を覆うように設けられる。
【００２３】
クッション材１４は、パネル基材１３の表面を形成するベースシート２１に沿って設けられており、ベースシート２１を介して、芯材１６の全体を覆う。クッション材１４は、柔軟性及び弾性を有する、例えば、発泡ウレタン材等の材料を素材として成形されている。
【００２４】
表皮材１５は、クッション材１４の全体を覆うように設けられている。表皮材１５は、クッション材１４の外表面と、ベースシート２１とに沿うように接着剤等により接着される。表皮材１５は、例えば、ポリエステル等の弾性変形可能な材質を素材として形成されており、伸長した状態でクッション材１４及びパネル基材１３を覆う。表皮材１５は、クッション材１４とともに表皮構造を形成しており、外表面にアクセントとして機能する複数の意匠部（図３参照）２４を有する。
【００２５】
なお、パネル本体１１の構成は上記構成には限られない。たとえば、パネル本体１１は単板でもよい。
【００２６】
取付部材１２は、各フレーム１７、１８、１９、２０と同様の金属系材料や樹脂系材料等を素材として略コ字形に形成されており、固定部２５と、前向き片２６と、後向き片２７と、を有する。
【００２７】
固定部２５は、Ｙ方向に長さを有し、縦フレーム１７、１８の開口部分に嵌め込まれてから、不図示のネジ止めや溶接、接着等の接合手段によって縦フレーム１７、１８に固定される。
【００２８】
前向き片２６は、固定部２５に対して、パネル本体１１の下部近傍より−Ｚ方向の前方から−Ｙ方向の下方に向かって延設されており、下端部に、支持部２８が形成されている。支持部２８は、段部形状に切除されており、天板１０１の厚み寸法よりも大きい長さを有して配線収容空間部１０６内に配設される。前向き片２６の支持部２８における段部形状は、支持部２８の下端側が、天板１０１と後述する閉塞カバー１１２との間に挿入可能な挿入部となり、段部は天板１０１の表面に当接可能な当接面となる。これにより、前向き片２６は、支持部２８における段部が天板１０１上に載置された状態で支持される。
【００２９】
後向き片２７は、固定部２５に対して、パネル本体１１の下部近傍よりＺ方向の後方から−Ｙ方向の下方に向かって延設されており、下端部に、支持部２９が形成されている。支持部２９は、段部形状に切除されており、天板１０１の厚み寸法よりも大きい長さを有して配線収容空間部１０６内に配設される。後向き片２７の支持部２９における段部形状は、支持部２９の下端側が、天板１０１と後述する閉塞カバー１１２との間に挿入可能な挿入部となり、段部は天板１０１の表面に当接可能な当接面となる。これにより、後向き片２７は、支持部２９における段部が天板１０１上に載置された状態で支持される。
【００３０】
図３は、仕切りパネル１０の天板付き什器１００に取り付けた状態の外観斜視図である。図３に示すように、天板付き什器１００は、不使用端縁１０５に配設された配線収容空間部１０６を開閉するための一対の閉塞カバー１１２を備える。なお、本実施形態において、天板付き什器１００における不使用端縁１０５は、天板１０１の後端にある。
【００３１】
取付部材１２がパネル本体１１のＸ方向及び−Ｘ方向の両端部寄りに取り付けられているので、取付部材１２は、パネル本体１１を安定的に支持することができる。
【００３２】
図４は、仕切りパネル１０の天板付き什器１００に取り付けた状態の一部破断正面図である。図４に示すように、天板付き什器１００は、不使用端縁１０５に対応した天板１０１の下方において横材１０３に交差する一対の補助横材１１３を有する。また、天板付き什器１００は、一対の補助横材１１３の間に配線収容空間部１０６の底部を形成する底板１１４を有する。そして、底板１１４上には、側面視でＹ字形状に形成された閉塞カバー支持台１１５がネジ止めされている。閉塞カバー支持台１１５の上端部には、Ｖ溝形状に形成された枢軸受部１１６を有する。枢軸受部１１６は、一対の閉塞カバー１１２の回動基部にＸ方向の左右方向を向いて有する枢軸１１７を着脱可能かつ回動可能に支持する。閉塞カバー１１２の枢軸１１７側と反対の先端部には、天板１０１の不使用端縁１０５に接触可能な、例えば、ゴム製のリップ部１１８を有する。閉塞カバー１１２の上面は、天板１０１の上面と略同一平面となるように配設される。
【００３３】
仕切りパネル１０は、パネル本体１１の下端と、取付部材１２の各向き片２６、２７と、閉塞カバー１１２の上面とによって囲まれた空間部３０を形成する。閉塞カバー１１２の回動軌跡は、空間部３０内に確保される。取付部材１２は、前向き片２６に有する支持部２８と後向き片２７に有する支持部２９とが間隔寸法Ｌ１を有する。そして、一対の天板１０１の不使用端縁１０５は、各支持部２８、２９を嵌入可能な間隔寸法Ｌ２を有する。
【００３４】
次に、仕切りパネル１０の作用について説明する。まず、天板１０１の取り付け位置が選択される。このとき、図１に示したように、天板付き什器１００に２つの仕切りパネル１０を取り付ける場合、取付部材１２の各向き片２６、２７が天板１０１の不使用端縁１０５の選択された位置に向けてＹ方向の上方より押圧挿入される。このとき、各向き片２６、２７の各支持部２８、２９は、天板１０１の不使用端縁１０５に押圧挿入された際に間隔寸法Ｌ１を小さくすように弾性変形される。そのため、各向き片２６、２７の各支持部２８、２９は、弾性変形に伴って生ずる弾性復元力によって不使用端縁１０５に弾性的に係止する係止部として機能する。これにより、仕切りパネル１０は、取付部材１２の各向き片２６、２７の各支持部２８、２９によって不使用端縁１０５の任意の位置に固定される。このとき、仕切りパネル１０は、取り付け位置を変更する場合、各向き片２６、２７が不使用端縁１０５から抜き出された後に、変更された位置において、各向き片２６、２７が天板１０１の不使用端縁１０５の位置に取り付けられる。
【００３５】
仕切りパネル１０は、天板１０１に固定されることにより、パネル本体１１の下端と、取付部材１２の各向き片２６、２７と、閉塞カバー１１２の上面と、によって囲まれた空間部３０を形成する。そして、空間部３０内に回動軌跡が確保されている閉塞カバー１１２が開閉されることにより、電源コードや接続ケーブル等の配線１１０を配策することができる。
【００３６】
図５は、仕切りパネル１０の他例の一部破断正面図である。図６は、仕切りパネル１０のさらに他例の一部破断正面図である。
図５に示すように、この場合の仕切りパネル１０は、一方の天板１０１に取り付ける場合であり、後向き片３２のみを有する取付部材３１を備える。
【００３７】
後向き片３２は、固定部２５に対して、パネル本体１１の下部近傍よりＺ方向の後方から−Ｙ方向の下方に向かって延設されている。そして、後向き片３２は、中間部に段部３３を有し、下端部に、Ｌ字形状のフック部３４を有し、このフック部３４に蝶ネジ３５がネジ込まれている。
【００３８】
後向き片３２は、段部３３を天板１０１の不使用端縁１０５にＹ方向から掛止させた状態で、天板１０１の下方において、蝶ネジ３５がフック部３４に対してネジ込まれる。これにより、後向き片３２は、段部３３と蝶ネジ３５とにより天板１０１を挟み込むことにより、パネル本体１１が片持ちで天板１０１に取り付けられる。
また、本実施形態では、後向き片３２のみを有する取付部材３１を備えることに代えて、図６に示すように、前向き片３７のみを有する取付部材３６を備えていてもよい。
【００３９】
このように、本実施形態の仕切りパネル１０によれば、パネル本体１１の下端と取付部材１２の前向き片２６と、閉塞カバー１１２の上面とによって囲まれた空間部３０を介して、閉塞カバー１１２を着脱可能として、配線収容空間部１０６の閉塞カバー１１２の上方位置の左右方向任意の位置に取り付けられる。
これにより、仕切りパネル１０は、天板付き什器１００に対して閉塞カバー１１２を着脱可能としながら、天板付き什器１００における配線収容空間部１０６の上方位置における左右方向任意の位置に取り付けることができる。
【００４０】
また、天板付き什器１００は、前後に離間して一対の天板１０１を配設することによって天板１０１間に配線収容空間部１０６が形成されており、仕切りパネル１０は、配線収容空間部１０６の上方位置にパネル本体１１が配設される。
これにより、仕切りパネル１０は、執務者が所望する左右方向任意の位置に配設されることによって、対面する執務者の視線を遮ることができ、什器としての使い勝手を良好なものとすることができる。
【００４１】
また、取付部材１２は、パネル本体１１の下部近傍より前下方に向かって延設された後向き片２７と、後向き片２７の下端に延設された支持部２９と、を有し、天板付き什器１００における配線収容空間部１０６の閉塞カバー１１２の上方位置において、後向き片２７の支持部２９を介して配線収容空間部１０６の閉塞カバー１１２の上方位置に取り付けられる。
これにより、仕切りパネル１０は、前向き片２６の支持部２８と、後向き片２７の支持部２９と、によって安定的かつ強固に天板付き什器１００に取り付けることができる。
【００４２】
また、支持部２８、２９は、前後の天板１０１の不使用端縁１０５上に上方より係止可能な係止部とされる。
これにより、仕切りパネル１０は、支持部２８、２９を天板１０１の不使用端縁１０５に上方から係止させるだけで、天板付き什器１００に簡単に取り付けられるために、簡易的な操作で天板付き什器１００に対して着脱することができる。
【００４３】
また、閉塞カバー１１２は、不使用端縁１０５側に設けられた左右方向を向く枢軸１１７を中心に上方に回動可能として天板付き什器１００に設けられており、閉塞カバー１１２の回動軌跡が、空間部３０内に確保される。
これにより、閉塞カバー１１２は、開閉操作性を良好に行うことができる。
【００４４】
また、後向き片３２のみを有する取付部材３１を介して配線収容空間部１０６の閉塞カバー１１２の上方位置に取り付けられる仕切りパネル１０では、取付部材３１の後向き片３２を介して天板付き什器１００に片持ちで取り付けることができる。
【００４５】
以上、本発明の実施形態について図面を参照して詳述したが、具体的な構成はこの実施形態に限られるものではなく、本発明の要旨を逸脱しない範囲の設計変更等も含まれる。
【符号の説明】
【００４６】
１０  仕切りパネル
１１  パネル本体
１２  取付部材
１３  パネル基材
１４  クッション材
１５  表皮材
１６  芯材
１７、１８  縦フレーム
１９、２０  横フレーム
２１  ベースシート
２２、２３  ブラケット
２４  意匠部
２５  固定部
２６、３７  前向き片
２７、３２  後向き片
２８  支持部
２９  支持部
３０  空間部
３１、３６  取付部材
３２  
３３  段部
３４  フック部
３５  ネジ
１００  天板付き什器
１０１  天板
１０２、１０３  横材
１０４  支柱
１０５  不使用端縁
１０６  配線収容空間部
１０７  サイドワゴン
１０８  ノート型パソコン
１０９  蛍光灯スタンド
１１０  配線
１１１  椅子
１１２  閉塞カバー
１１３  補助横材
１１４  底板
１１５  閉塞カバー支持台
１１６  枢軸受部
１１７  枢軸
１１８  リップ部
Ａ  島
Ｂ  骨格
【図１】
2015085025.tif 000003
【図２】
2015085025.tif 000004
【図３】
2015085025.tif 000005
【図４】
2015085025.tif 000006
【図５】
2015085025.tif 000007
【図６】
2015085025.tif 000008